(57)【要約】【課題】本発明の目的は、移動局装置が位置登録していない状態でも呼の接続ができるようにすることにある。【解決手段】本発明の無線通信システムは、無線通信可能な移動局装置と、前記移動局装置に無線でデータ送信を行う複数の基地局装置と、前記基地局装置に対して送信するデータの送信制御を行う回線制御装置と、を備えた無線通信システムにおいて、前記回線制御装置は、複数の前記基地局装置に対してチャネル指定を行い、複数の前記基地局装置は、前記移動局装置に対してチャネル指定を行い、前記移動局装置は、複数のうち１つの前記基地局装置に対する接続応答に基地局番号を付加し、複数のうち１つの前記基地局装置は、前記回線制御装置への接続応答に移動局装置番号を付加することを特徴とする。【選択図】  図２
2015192374.tif 000002
【特許請求の範囲】
【請求項１】
無線通信可能な移動局装置と、前記移動局装置に無線でデータ送信を行う複数の基地局装置と、前記基地局装置に対して送信するデータの送信制御を行う回線制御装置と、を備えた無線通信システムにおいて、
前記回線制御装置は、複数の前記基地局装置に対してチャネル指定を行い、
複数の前記基地局装置は、前記移動局装置に対してチャネル指定を行い、
前記移動局装置は、複数のうち１つの前記基地局装置に対する接続応答に基地局番号を付加し、
複数のうち１つの前記基地局装置は、前記回線制御装置への接続応答に移動局装置番号を付加することを特徴とする無線通信システム。
【請求項２】
無線通信可能な移動局装置と、前記移動局装置に無線でデータ送信を行う複数の基地局装置と、前記基地局装置に対して送信するデータの送信制御を行う回線制御装置と、を備えた無線通信システムにおいて、
前記回線制御装置は、所定の移動局装置の終話を行うために複数の前記基地局装置に対して終話信号を送信し、
前記所定の移動局装置と呼接続している複数のうち１つの前記基地局装置は、前記移動局装置に対して終話信号を送信し、
前記移動局装置は、呼接続している複数のうち１つの前記基地局装置に対する終話応答に基地局番号を付加し、
前記基地局装置は、前記回線制御装置に対する終話応答に移動局装置番号を付加することを特徴とする無線通信システム。
【発明の詳細な説明】
【技術分野】
【０００１】
本発明はデジタル無線通信システムに関し、特にＳＣＰＣ（Single  Channel  Per  Carrier）方式の無線通信システムに関するものである。
【背景技術】
【０００２】
例えば、市町村における消防・救急などの無線通信システムでは、複数の基地局装置を異なる場所に設置して設けるとともに、複数の移動局装置を設け、各移動局装置が通信可能な場所（例えば、近辺）に存在する基地局装置と無線により通信することで、上位の装置（例えば、指令装置）と移動局装置との間或いは複数の移動局装置の間で音声やデータなどを通信することが行われている。
また、基地局装置では、複数の通信用チャネルを使用して、マルチチャネルアクセス（ＭＣＡ：Multi  Channel  Access）方式により、移動局装置との間で無線通信することが行われる。
【０００３】
また、陸上移動通信用デジタル無線端末において、現在実用化されているデジタル無線システムとして、一般社団法人電波産業会が策定したＡＲＩＢ  ＳＴＤ−Ｔ６１（Association  of  Radio  Industries  and  Businesses  Standard‐T61：非特許文献１）にて定められている狭帯域デジタル通信システム等がある。
【０００４】
先行技術文献としては、特開２００７−２５９０１０号公報（特許文献１）等が挙げられる。
【先行技術文献】
【特許文献】
【０００５】
【特許文献１】特開２００７−２５９０１０号公報
【非特許文献】
【０００６】
【非特許文献１】ＡＲＩＢ  ＳＴＤ−Ｔ６１  １．２版  「狭帯域デジタル通信方式（ＳＣＰＣ／ＦＤＭＡ）」  一般社団法人電波産業会
【発明の概要】
【発明が解決しようとする課題】
【０００７】
上述のような無線通信システムでは、移動局装置の位置登録を行い、呼の接続を行っていた。しかし、移動局装置の数が増えるにつれ、無線回線が混雑するため、呼接続確率低下等の問題が発生することがある。
また、複数の基地局装置の重複通信エリアに居る移動局装置は、複数の基地局装置が同一の周波数で同時に送信すると、干渉により受信できない場合がある。
さらに、回線制御装置が移動局装置の位置登録をせずに呼を接続する手段をとると、移動局装置が在圏する基地局装置を回線制御装置が特定できる前に、呼の接続が途中キャンセルされた場合、移動局装置に対して終話信号を送信すべき基地局装置を特定できない場合がある。
【０００８】
本発明の目的は、移動局装置が位置登録していない状態でも呼の接続ができるようにすることにある。
また、回線制御装置は移動局装置の位置登録をせずに呼の接続が途中キャンセルされた場合でも移動局装置を確実に終話させることを目的とする。
【課題を解決するための手段】
【０００９】
本発明の無線通信システムは、無線通信可能な移動局装置と、前記移動局装置に無線でデータ送信を行う複数の基地局装置と、前記基地局装置に対して送信するデータの送信制御を行う回線制御装置と、を備えた無線通信システムにおいて、前記回線制御装置は、複数の前記基地局装置に対してチャネル指定を行い、複数の前記基地局装置は、前記移動局装置に対してチャネル指定を行い、前記移動局装置は、複数のうち１つの前記基地局装置に対する接続応答に基地局番号を付加し、複数のうち１つの前記基地局装置は、前記回線制御装置への接続応答に移動局装置番号を付加することを特徴とする。
【００１０】
また、本発明の無線通信システムは、無線通信可能な移動局装置と、前記移動局装置に無線でデータ送信を行う複数の基地局装置と、前記基地局装置に対して送信するデータの送信制御を行う回線制御装置と、を備えた無線通信システムにおいて、前記回線制御装置は、所定の移動局装置の終話を行うために複数の前記基地局装置に対して終話信号を送信し、前記所定の移動局装置と呼接続している複数のうち１つの前記基地局装置は、前記移動局装置に対して終話信号を送信し、前記移動局装置は、呼接続している複数のうち１つの前記基地局装置に対する終話応答に基地局番号を付加し、前記基地局装置は、前記回線制御装置に対する終話応答に移動局装置番号を付加することを特徴とする無線通信システム。
【発明の効果】
【００１１】
本発明によれば、回線制御装置が移動局装置の位置登録をしていない状態でも呼の接続ができる。
また、回線制御装置は移動局装置の位置登録をせずに呼の接続が途中キャンセルされた場合でも移動局装置を確実に終話させることができる。
【図面の簡単な説明】
【００１２】
【図１】無線通信システムの構成例を示す図である。
【図２】本発明の一実施例である無線通信システムの呼の接続動作を説明するための図である。
【図３】本発明の一実施例である無線通信システムの呼の接続動作を説明するためのシーケンス図である。
【図４】本発明の一実施例である無線通信システムの呼の接続動作を説明するためのタイミングチャートである。
【図５】本発明の一実施例である無線通信システムの終話動作を説明するための図である。
【図６】本発明の一実施例である無線通信システムの終話動作を説明するためのシーケンス図である。
【発明を実施するための形態】
【００１３】
以下、本発明の一実施形態について図面を参照して説明する。
本発明の一実施形態の無線通信システムは、ＳＣＰＣ（Single  Channel  Per  Carrier）方式である。
また、基地局装置は、複数の通信用チャネルを使用して、マルチチャネルアクセス（ＭＣＡ：Multi  Channel  Access）方式により、移動局装置との間で無線通信が行われる。
【００１４】
図１は無線通信システムの構成例を示す図である。
図１において、無線通信システムは、指令装置１６０と、回線制御装置１４０と、基地局装置Ａ１１１と、基地局装置Ｂ１２１と、基地局装置Ｃ１３１と、移動局装置（１）１５１と、移動局装置（２）１５２を有している。
回線制御装置１４０は、指令装置１６０、基地局装置Ａ１１１、基地局装置Ｂ１２１、基地局装置Ｃ１３１と有線で接続されているが、無線等でもよい。
図１に示す通り、基地局装置Ａ１１１は、移動局装置（１）１５１と無線通信（Ｃ１２）を行い、移動局装置（２）１５２と無線通信（Ｃ１１）を行う。また、基地局装置Ｂ１２１は、移動局装置（１）１５１と無線通信（Ｃ１２）を行う。
基地局装置Ａ１１１の通信範囲が基地局装置Ａ圏１１０であり、基地局装置Ｂ１２１の通信範囲が基地局装置Ｂ圏１２０であり、基地局装置Ｃ１３１の通信範囲が基地局装置Ｃ圏１３０である。
指令装置１６０は、オペレータの操作に基づいて、回線制御装置１４０と基地局装置Ａ１１１，基地局装置Ｂ１２１，基地局装置Ｃ１３１を介して、移動局装置（１）１５１，移動局装置（２）１５２と通信（通話やデータ通信）を行うものである。
回線制御装置１４０は、移動局装置（１）１５１，移動局装置（２）１５２の呼の管理を行う。
なお、基地局装置や移動局装置の数は本例に限定されるものではなく、必要に応じていずれも何台であってもよい。但し、本発明の場合には、基地局装置は複数であることが前提である。
【００１５】
（実施例１、呼の接続）
次に、本発明の一実施例である無線通信システムの呼の接続動作について、図２〜図４を用いて説明する。
図２は本発明の一実施例である無線通信システムの呼の接続動作を説明するための図である。
図２において、回線制御装置１４０は、移動局装置（１）１５１と呼の接続を行う場合、移動局装置（１）１５１が位置登録していないため、回線制御装置１４０と接続されている全ての基地局装置である基地局装置Ａ１１１，基地局装置Ｂ１２１，基地局装置Ｃ１３１に個別通話のチャネル指定２１１，２２１，２３１を送信する。
【００１６】
基地局装置Ａ１１１は、基地局装置Ａ圏１１０内の移動局装置に個別通話のチャネル指定（Ｃｃｈ：制御用チャネル）２１３を送信する。
次に、基地局装置Ｂ１２１が、基地局装置Ｂ圏１２０内の移動局装置に個別通話のチャネル指定（Ｃｃｈ：制御用チャネル）２２３を送信する。
その次に、基地局装置Ｃ１３１が、基地局装置Ｃ圏１３０内の移動局装置に個別通話のチャネル指定（Ｃｃｈ：制御用チャネル）２３３を送信する。
なお、基地局装置の送信順番は予め決めておき、同時に送信しないようにしておき、特に優先順位が設定されていない限り順不同で順次送信される。
【００１７】
移動局装置（１）１５１が、基地局装置Ｂ圏１２０内に居る場合には、移動局装置（１）１５１は基地局装置Ｂ１２１に対して接続応答信号２２４を送信する。
ここで、移動局装置（１）１５１の接続応答信号には、移動局装置（１）１５１の自局番号（１）および基地局装置Ｂ１２１の基地局番号（Ｂ）が含まれる。
基地局装置Ｂ１２１は、回線制御装置１４０に対して移動局装置（１）１５１の接続応答信号２２２を送信する。
なお、移動局装置（１）１５１が複数の基地局装置の重複通信エリアに居る場合は、予め決めてある優先順位や受信電界強度等の高い基地局装置に接続応答信号を送信することが可能である。
【００１８】
次に、図３のシーケンス図を用いて、本発明の一実施例である無線通信システムの呼の接続動作を説明する。
回線制御装置１４０は、移動局装置（１）１５１と呼の接続を行うため、基地局装置Ａ１１１に対して個別通話のチャネル指定（Ｃｃｈ）を送信し（３０１）、基地局装置Ｂ１２１に対して個別通話のチャネル指定（Ｃｃｈ）を送信し（３０２）、基地局装置Ｃ１３１に対して個別通話のチャネル指定（Ｃｃｈ）を送信する（３０３）。
【００１９】
例えば、まず、基地局装置Ａ１１１は、基地局装置Ａ圏１１０内の移動局装置に個別通話のチャネル指定（Ｃｃｈ）を送信する（３０４）。
次に、基地局装置Ｂ１２１が、基地局装置Ｂ圏１２０内の移動局装置に個別通話のチャネル指定（Ｃｃｈ）２２３を送信する（３０５）。
最後に、基地局装置Ｃ１３１が、基地局装置Ｃ圏１３０内の移動局装置に個別通話のチャネル指定（Ｃｃｈ）を送信する（３０８）。
【００２０】
ここで、移動局装置（１）１５１は、基地局装置Ｂ圏１２０内に居るため、基地局装置Ｂ１２１に対して、移動局装置（１）１５１の自局番号（１）および基地局装置Ｂ１２１の基地局番号（Ｂ）を含む接続応答信号を送信する（３０６）。
さらに、地局装置Ｂ１２１は、回線制御装置１４０に対して移動局装置（１）１５１の移動局装置番号（１）を含む接続応答信号を送信する（３０７）。
【００２１】
これにより、回線制御装置１４０は、移動局装置番号（１）１５１の個別通話の指定チャネルを設定（呼の接続設定）することができる（３０９）。
【００２２】
次に、図４のタイミングチャートを用いて、本発明の一実施例である無線通信システムの呼の接続動作を説明する。
図４において、線の上側が送信チャネルであり、線の下側が受信チャネルである。
回線制御装置１４０は、移動局装置（１）１５１と呼の接続を行うため、基地局装置Ａ１１１に対して個別通話のチャネル指定（Ｃｃｈ）を送信し、基地局装置Ｂ１２１に対して個別通話のチャネル指定（Ｃｃｈ）を送信し、基地局装置Ｃ１３１に対して個別通話のチャネル指定（Ｃｃｈ）を送信する。
【００２３】
基地局装置Ａ１１１は、回線制御装置１４０から送信された個別通話のチャネル指定（Ｃｃｈ）を受信し、移動局装置（１）１５１に個別通話のチャネル指定（Ｃｃｈ）を送信する。
続いて、基地局装置Ｂ１２１は、回線制御装置１４０から送信された個別通話のチャネル指定（Ｃｃｈ）を受信し、移動局装置（１）１５１に個別通話のチャネル指定（Ｃｃｈ）を送信する。
最後に、基地局装置Ｃ１３１は、回線制御装置１４０から送信された個別通話のチャネル指定（Ｃｃｈ）を受信し、移動局装置（１）１５１に個別通話のチャネル指定（Ｃｃｈ）を送信する。
【００２４】
ここで、移動局装置（１）１５１は、基地局装置Ｂ圏１２０内に居るため、基地局装置Ｂ１２１から送信された個別通話のチャネル指定（Ｃｃｈ）を受信し、基地局装置Ｂ１２１に対して、移動局装置（１）１５１の自局番号（１）および基地局装置Ｂ１２１の基地局番号（Ｂ）を含む接続応答信号を送信する。
【００２５】
基地局装置Ｂ１２１は、移動局装置（１）１５１から送信された自局番号（１）および基地局装置Ｂ１２１の基地局番号（Ｂ）を含む接続応答信号を受信し、回線制御装置１４０に対して移動局装置（１）１５１の移動局装置番号（１）を含む接続応答信号を送信する。
【００２６】
これにより、回線制御装置１４０は、移動局装置（１）１５１（移動局装置番号（１））が基地局装置Ｂ１２１（基地局番号（Ｂ））と接続されていることを設定することができる（呼の接続設定）。
【００２７】
（実施例２、終話）
次に、本発明の一実施例である無線通信システムの終話の動作について、図５〜図６を用いて説明する。
図５は本発明の一実施例である無線通信システムの終話動作を説明するための図である。
図５において、回線制御装置１４０は、通話中の移動局装置（１）１５１との終話を行うため、回線制御装置１４０と接続されている全ての基地局装置である基地局装置Ａ１１１，基地局装置Ｂ１２１，基地局装置Ｃ１３１に終話信号５１１，５２１，５３１を送信する。
【００２８】
基地局装置Ａ１１１は、回線制御装置１４０から移動局装置（１）１５１に対する終話信号を受信するが、基地局装置Ａ圏１１０内に移動局装置（１）１５１は存在せず、移動局装置（１）１５１との呼の接続がないため、何の処理も実行しない。
同様に、基地局装置Ｃ１３１は、回線制御装置１４０から移動局装置（１）１５１に対する終話信号を受信するが、基地局装置Ｃ圏１３０内に移動局装置（１）１５１は存在せず、移動局装置（１）１５１との呼の接続がないため、何の処理も実行しない。
【００２９】
一方で、基地局装置Ｂ１２１は、基地局装置Ｂ圏１２０内に移動局装置（１）１５１が存在するため、回線制御装置１４０から移動局装置（１）１５１に対する終話信号を受信し、基地局装置Ｂ圏１２０内の移動局装置（１）１５１に対して終話信号（Ｓｃｈ：通話用チャネル）５２３を送信する。
【００３０】
移動局装置（１）１５１は、基地局装置Ｂ１２１からの終話信号（Ｓｃｈ）５２３を受信し、基地局装置Ｂ１２１に対して移動局装置（１）１５１の自局番号（１）および基地局番号（Ｂ）を含む終話応答信号５２４を送信する。
【００３１】
基地局装置Ｂ１２１は、移動局装置（１）１５１からの基地局番号（Ｂ）を含む終話応答信号５２４を受信し、回線制御装置１４０に対して移動局装置（１）１５１の終話応答信号５２２を送信する。
【００３２】
次に、図６のシーケンス図を用いて、本発明の一実施例である無線通信システムの終話の動作を説明する。
回線制御装置１４０は、移動局装置（１）１５１との終話を行うため、基地局装置Ａ１１１に対して終話信号を送信し（６０１）、基地局装置Ｂ１２１に対して終話信号を送信し（６０２）、基地局装置Ｃ１３１に対して終話信号を送信する（６０３）。
【００３３】
基地局装置Ａ１１１は、回線制御装置１４０から移動局装置（１）１５１に対する終話信号を受信するが、基地局装置Ａ圏１１０内に移動局装置（１）１５１は存在せず、移動局装置（１）１５１との呼の接続がないため、何の処理も実行しない。
同様に、基地局装置Ｃ１３１は、回線制御装置１４０から移動局装置（１）１５１に対する終話信号を受信するが、基地局装置Ｃ圏１３０内に移動局装置（１）１５１は存在せず、移動局装置（１）１５１との呼の接続がないため、何の処理も実行しない。
【００３４】
一方で、基地局装置Ｂ１２１は、基地局装置Ｂ圏１２０内に移動局装置（１）１５１が存在するため、回線制御装置１４０から移動局装置（１）１５１に対する終話信号を受信し、基地局装置Ｂ圏１２０内の移動局装置（１）１５１に対して終話信号（Ｓｃｈ）を送信する（６０４）。
【００３５】
移動局装置（１）１５１は、基地局装置Ｂ１２１からの終話信号（Ｓｃｈ）を受信し、基地局装置Ｂ１２１に対して移動局装置（１）１５１の自局番号（１）および基地局番号（Ｂ）を含む終話応答信号を送信する（６０５）。
【００３６】
基地局装置Ｂ１２１は、移動局装置（１）１５１からの基地局番号（Ｂ）を含む終話応答信号を受信し、回線制御装置１４０に対して移動局装置（１）１５１の移動局装置番号（１）を含む終話応答信号を送信する（６０６）。
【００３７】
これにより、回線制御装置１４０は、移動局装置番号（１）１５１の終話処理を行うことができる（６０７）。
【００３８】
本発明の一実施例である無線通信システムは、回線制御装置が移動局装置の位置登録をしていない状態でも呼の接続ができる。
また、本発明の一実施例である回線制御装置は、移動局装置の位置登録をせずに呼の接続が途中キャンセルされた場合でも移動局装置を確実に終話させることができる。
さらに、本発明の一実施例である無線通信システムは、回線制御装置が移動局装置を確実に終話させることができるため、タイムアウトによる終話処理より短時間で終話処理を完了させることができる。
【００３９】
以上本発明について詳細に説明したが、本発明は、ここに記載された無線通信システムに限定されるものではなく、上記以外の無線通信システムに広く適用することができることは言うまでもない。
【符号の説明】
【００４０】
１１０：基地局装置Ａ圏、１１１：基地局装置Ａ、１２０：基地局装置Ｂ圏、１２１：基地局装置Ｂ、１３０：基地局装置Ｃ圏、１３１：基地局装置Ｃ、１４０：回線制御装置、１５１：移動局装置（１）、１５２：移動局装置（２）、１６０：指令装置。
【図１】
2015192374.tif 000003
【図２】
2015192374.tif 000004
【図３】
2015192374.tif 000005
【図４】
2015192374.tif 000006
【図５】
2015192374.tif 000007
【図６】
2015192374.tif 000008